(57)【特許請求の範囲】
【請求項１】
第一辺と、前記第一辺に対向する第二辺と、前記第一辺と前記第二辺とを連接する第一領域と、前記第一領域に隣接し且つ前記第一辺と前記第二辺とを連接する第二領域と、を有する第一導電膜と、
前記第一導電膜の片側に配置される第二導電膜と、
前記第一辺の前記第一領域の側辺に該当する部分に互いに離間して配置され、且つ前記第一領域に電気接続された複数の第一電極と、
前記第一辺の前記第二領域の側辺に該当する部分に配置され、且つ前記第二領域に電気接続され、前記複数の第一電極に隣り合うとともに、前記複数の第一電極と間隔を保持する第一補助電極と、
前記第二辺の前記第二領域の側辺に該当する部分に互いに離間して配置され、且つ前記第二領域に電気接続された複数の第二電極と、
前記第二辺の前記第一領域の側辺に該当する部分に配置され、且つ前記第一領域に電気接続され、前記複数の第二電極に隣り合うとともに、前記複数の第二電極と間隔を保持する第二補助電極と、
を備えてなるタッチ装置であって、
前記タッチ装置が押圧されなかった時、前記第一導電膜と前記第二導電膜とは、互いに離間し、前記タッチ装置が押圧されると、前記第一導電膜の押圧箇所は、前記第二導電膜の押圧箇所に接触することを特徴とするタッチ装置。
【請求項２】
前記第二導電膜は、両端がそれぞれ前記第一辺の一端及び前記第二辺の一端に隣り合う第三辺を備え、前記タッチ装置は、前記第三辺に配置され且つ前記第二導電膜に電気接続された複数の第三電極をさらに備えることを特徴とする請求項１に記載のタッチ装置。
【請求項３】
前記第一導電膜及び前記第二導電膜は、それぞれ抵抗異方性を有することを特徴とする請求項２に記載のタッチ装置。
【請求項４】
前記第一導電膜の主要導電方向は、前記第一辺及び前記第二辺に直交し、
前記第二導電膜の主要導電方向は、前記第三辺に直交し、且つ
前記第一導電膜の主要導電方向は、前記第二導電膜の主要導電方向に直交することを特徴とする請求項３に記載のタッチ装置。
【請求項５】
前記複数の第二電極の中の前記第一領域に最も近い第二電極と前記第一補助電極は、第一基準直線に位置し、
前記複数の第一電極の中の前記第二領域に最も近い第一電極と前記第二補助電極は、第二基準直線に位置し、
前記第一基準直線は、前記第二基準直線に平行し、且つ
前記第一基準直線は、前記第一辺及び前記第二辺に直交することを特徴とする請求項１に記載のタッチ装置。
【請求項６】
前記タッチ装置は、
前記第一辺の前記第二領域の側辺に該当する部分に配置され、且つ前記第二領域に電気接続され、前記第一補助電極に隣り合うとともに、前記第一補助電極と間隔を保持する少なくとも１つの第三補助電極と、
前記第二辺の前記第一領域の側辺に該当する部分に配置され、且つ前記第一領域に電気接続され、前記第二補助電極に隣り合うとともに、前記第二補助電極と間隔を保持する少なくとも１つの第四補助電極と、
をさらに備え、
前記第一補助電極は、前記第三補助電極と前記複数の第一電極との間に位置し、
前記第二補助電極は、前記第四補助電極と前記複数の第二電極との間に位置することを特徴とする請求項１に記載のタッチ装置。
【請求項７】
前記複数の第二電極の中の前記第一領域に最も近い第二電極と前記第一補助電極は、第一基準直線に位置し、
前記複数の第二電極の中の前記第一領域に第二番目に近い第二電極と前記第三補助電極は、第三基準直線に位置し、
前記複数の第一電極の中の前記第二領域に最も近い第一電極と前記第二補助電極は、第二基準直線に位置し、
前記複数の第一電極の中の前記第二領域に第二番目に近い第一電極と前記第四補助電極は、第四基準直線に位置し、
前記第一基準直線、前記第二基準直線、前記第三基準直線及び前記第四基準直線は、互いに平行し、且つ
前記第一基準直線は、前記第一辺及び前記第二辺に直交することを特徴とする請求項６に記載のタッチ装置。
【請求項８】
前記請求項１に記載のタッチ装置の制御方法であって、
前記複数の第一電極、前記第一補助電極、前記複数の第二電極及び前記第二補助電極の中の１つの電極を読取状態にして、前記複数の第一電極、前記第一補助電極、前記複数の第二電極及び前記第二補助電極の中の他の一部分の電極に第一基準電圧を印加し、前記第二導電膜に第二基準電圧を印加するステップと、
前記複数の第一電極の中の前記第二領域に最も近い第一電極が読取状態にある時、少なくとも前記第二補助電極に電圧を印加しないようにするステップと、
前記第一補助電極が読取状態にある時、少なくとも前記第二電極の中の前記第一領域に最も近い第二電極に電圧を印加しないようにするステップと、
前記複数の第二電極の中の前記第一領域に最も近い第二電極が読取状態にある時、少なくとも前記第一補助電極に電圧を印加しないようにするステップと、
前記第二補助電極が読取状態にある時、少なくとも前記第一電極の中の前記第二領域に最も近い第一電極に電圧を印加しないようにするステップと、
を備えることを特徴とするタッチ装置の制御方法。
【請求項９】
前記複数の第一電極の中の前記第二領域に第二番目に近い第一電極が読取状態にある時、少なくとも前記第二補助電極に電圧を印加しないようにするステップと、
前記複数の第一電極の中の前記第二領域に最も近い第一電極が読取状態にある時、少なくとも前記複数の第二電極の中の前記第一領域に最も近い第二電極及び前記第二補助電極に電圧を印加しないようにするステップと、
前記第一補助電極が読取状態にある時、少なくとも前記複数の第二電極の中の前記第一領域に最も近い第二電極、前記複数の第二電極の中の前記第一領域に第二番目に近い第二電極及び前記第二補助電極に電圧を印加しないようにするステップと、
前記複数の第二電極の中の前記第一領域に第二番目に近い第二電極が読取状態にある時、少なくとも前記第一補助電極に電圧を印加しないようにするステップと、
前記複数の第二電極の中の前記第一領域に最も近い第二電極が読取状態にある時、少なくとも前記複数の第一電極の中の前記第二領域に最も近い第一電極及び前記第一補助電極に電圧を印加しないようにするステップと、
前記第二補助電極が読取状態にある時、少なくとも前記複数の第一電極の中の前記第二領域に最も近い第一電極、前記複数の第一電極の中の前記第二領域に第二番目に近い第一電極及び前記第一補助電極に電圧を印加しないようにするステップと、
をさらに備えることを特徴とする請求項８に記載のタッチ装置の制御方法。
【請求項１０】
前記タッチ装置は、前記第一辺の前記第二領域の側辺に該当する部分に配置され、且つ前記第二領域に電気接続され、前記第一補助電極に隣り合うとともに、前記第一補助電極と間隔を保持する少なくとも１つの第三補助電極と、
前記第二辺の前記第一領域の側辺に該当する部分に配置され、且つ前記第一領域に電気接続され、前記第二補助電極に隣り合うとともに、前記第二補助電極と間隔を保持する少なくとも１つの第四補助電極と、
をさらに備え、
前記第一補助電極は、前記第三補助電極と前記複数の第一電極との間に位置し、
前記第二補助電極は、前記第四補助電極と前記複数の第二電極との間に位置し、
前記タッチ装置の制御方法は、
前記複数の第一電極の中の前記第二領域に第二番目に近い第一電極が読取状態にある時、少なくとも前記第四補助電極に電圧を印加しないようにするステップと、
前記複数の第二電極の中の前記第一領域に第二番目に近い第二電極が読取状態にある時、少なくとも前記第三補助電極に電圧を印加しないようにするステップと、
をさらに備えることを特徴とする請求項８に記載のタッチ装置の制御方法。
【請求項１１】
前記第一補助電極が読取状態にある時、少なくとも前記第三補助電極に第一基準電圧を印加するステップと、
前記第二補助電極が読取状態にある時、少なくとも前記第四補助電極に第一基準電圧を印加するステップと、
をさらに備えることを特徴とする請求項１０に記載のタッチ装置の制御方法。
【請求項１２】
前記複数の第一電極の中の前記第二領域に第三に近い第一電極が読取状態にある時、少なくとも前記第四補助電極に電圧を印加しないようにするステップと、
前記複数の第一電極の中の前記第二領域に第二番目に近い第一電極が読取状態にある時、少なくとも前記第四補助電極及び前記第二補助電極に電圧を印加しないようにするステップと、
前記複数の第一電極の中の前記第二領域に最も近い第一電極が読取状態にある時、少なくとも前記複数の第二電極の中の前記第一領域に最も近い第二電極、前記第四補助電極及び前記第二補助電極に電圧を印加しないようにするステップと、
前記複数の第二電極の中の前記第一領域に第三に近い第二電極が読取状態にある時、少なくとも前記第三補助電極に電圧を印加しないようにするステップと、
前記複数の第二電極の中の前記第一領域に第二番目に近い第二電極が読取状態にある時、少なくとも前記第三補助電極及び前記第一補助電極に電圧を印加しないようにするステップと、
前記複数の第二電極の中の前記第一領域に最も近い第二電極が読取状態にある時、少なくとも前記複数の第一電極の中の前記第二領域に最も近い第一電極、前記第三補助電極及び前記第一補助電極に電圧を印加しないようにするステップと、
をさらに備えることを特徴とする請求項１０に記載のタッチ装置の制御方法。
【発明の詳細な説明】
【技術分野】
【０００１】
本発明は、タッチ装置及びその制御方法に関するものである。
【背景技術】
【０００２】
従来の抵抗式タッチ装置は、主に第一導電層、第二導電層及び複数のスペーサーを備える。前記複数のスペーサーは、前記第一導電層と前記第二導電層との間に位置し、且つ前記第一導電層と前記第二導電層とを隔離して、前記タッチ装置を接触しなかった時、ショートによる錯誤動作を免れる。前記第一導電層及び前記第二導電層は、別々に接触点の異なる軸方向の位置を測定することに用いられ、例えば、前記第一導電層は、接触点のＸ軸方向の位置を測定し、前記第二導電層は、接触点のＹ軸方向の位置を測定し、且つ前記Ｘ軸方向と前記Ｙ軸方向は直交する。
【０００３】
操作する時、前記第一導電層及び前記第二導電層にそれぞれ異なる電圧を印加して、使用者がタッチ装置を接触する時、前記第一導電層の前記接触点に対応する領域と前記第二導電層の前記接触点に対応する領域とが接触して、前記第一導電層及び前記第二導電層にそれぞれ電圧変化を生じさせて、前記第一導電層の電圧変化を測定することにより、接触点のＸ軸方向の位置を判断し、前記第二導電層の電圧変化を測定することにより、接触点のＹ軸方向の位置を判断する。
【０００４】
前記第一導電層の電圧変化を測定するために、前記第一導電層の第一辺に複数の第一電極を配置することができる。同様に、前記第二導電層の電圧変化を測定するために、前記第二導電層の第二辺に複数の第二電極を配置することができ、前記第一辺は、前記第二辺に直交する。前記複数の第一電極及び前記複数の第二電極は、複数の導線によって別々に駆動ＩＣ（Ｄｒｉｖｅ  Ｉｎｔｅｇｒａｔｅｄ  Ｃｉｒｃｕｉｔ）に電気接続される。しかし、前記第一電極は前記第一導電層の同じ側に位置し、且つ前記第二電極も前記第二導電層の同じ側に位置するため、タッチ装置の周辺領域の片側は、これらの導線を配置するために大きい空間を必要として、タッチ装置の周辺領域の片側があまりに広い。従って、タッチ装置を表示装置に配置する場合、美観ではなく、且つ異なる表示装置に対するタッチ装置の適用性を制限する。
【発明の概要】
【発明が解決しようとする課題】
【０００５】
本発明の目的は、前記課題を解決し、表示装置に美観的に配置することができ、且つ優れた適用性を有するタッチ装置及びその制御方法を提供することである。
【課題を解決するための手段】
【０００６】
前記目的を達成するために、本発明に係わるタッチ装置は、第一辺と、前記第一辺に対向する第二辺と、前記第一辺と前記第二辺とを連接する第一領域と、前記第一領域に隣接し且つ前記第一辺と前記第二辺とを連接する第二領域と、を有する第一導電膜と、前記第一導電膜の片側に配置される第二導電膜と、前記第一辺の前記第一領域の側辺に該当する部分に互いに離間して配置され、且つ前記第一領域に電気接続された複数の第一電極と、前記第一辺の前記第二領域の側辺に該当する部分に配置され、且つ前記第二領域に電気接続し、前記複数の第一電極に隣り合うとともに、前記複数の第一電極と間隔を保持する第一補助電極と、前記第二辺の前記第二領域の側辺に該当する部分に互いに離間して配置され、且つ前記第二領域に電気接続された複数の第二電極と、前記第二辺の前記第一領域の側辺に該当する部分に配置され、且つ前記第一領域に電気接続され、前記複数の第二電極に隣り合うとともに、前記複数の第二電極と間隔を保持する第二補助電極と、を備え、前記タッチ装置が押圧されなかった時、前記第一導電膜と前記第二導電膜とは、互いに離間し、前記タッチ装置が押圧されると、前記第一導電膜の押圧箇所は、前記第二導電膜の押圧箇所に接触する。
【０００７】
前記目的を達成するために、本発明に係わるタッチ装置の製造方法は、前記複数の第一電極、前記第一補助電極、前記複数の第二電極及び前記第二補助電極の中の１つの電極を読取状態にして、前記複数の第一電極、前記第一補助電極、前記複数の第二電極及び前記第二補助電極の中の他の一部分の電極に第一基準電圧を印加し、前記第二導電膜に第二基準電圧を印加するステップと、前記複数の第一電極の中の前記第二領域に最も近い第一電極が読取状態にある時、少なくとも前記第二補助電極に電圧を印加しないようにするステップと、前記第一補助電極が読取状態にある時、少なくとも前記第二電極の中の前記第一領域に最も近い第二電極に電圧を印加しないようにするステップと、前記複数の第二電極の中の前記第一領域に最も近い第二電極が読取状態にある時、少なくとも前記第一補助電極に電圧を印加しないようにするステップと、前記第二補助電極が読取状態にある時、少なくとも前記第一電極の中の前記第二領域に最も近い第一電極に電圧を印加しないようにするステップと、を備える。
【発明の効果】
【０００８】
本発明に係わるタッチ装置において、第一導電膜に電気接続された第一電極及び第二電極は、別々に前記第一導電膜の対向する両辺に配置されるため、従来のタッチ装置の周辺領域の片側があまりに広い問題を効果的に解決することができ、従って本発明のタッチ装置を美観的に表示装置に配置することができ、且つ優れた適用性を有する。又、第一辺に位置する第一電極及び第一補助電極が交互に読取状態にある時、本発明の実施形態に係るタッチ装置の制御方法は、適切な時機に前記第二辺に位置する適切な電極に電圧を印加しないようにして、前記第一辺に位置する電極が読取状態にある時の電圧環境を各々の電極にとって一致させて、本発明のタッチ装置の制御方法によって、接触点の位置をさらに正確に判断することができる。これに反して、第二辺に位置する第二電極及び第二補助電極が交互に読取状態にある時、本発明の実施形態に係わる制御方法は、適切な時機に前記第一辺に位置する適切な電極に電圧を印加しないようにして、上述の効果を達成する。
【図面の簡単な説明】
【０００９】
【図１Ａ】本発明の第一実施形態に係るタッチ装置の断面図である。
【図１Ｂ】図１Ａに示すタッチ装置の導電膜、電極及び導線の平面図である。
【図１Ｃ】図１Ａに示すタッチ装置の第一導電膜、前記第一導電膜に電気接続された電極、第二導電膜、前記第二導電膜に電気接続された電極の分解図である。
【図２】本発明の第二実施形態に係るタッチ装置の導電膜、電極及び導線の平面図ある。
【図３】図１Ａに示すタッチ装置の制御方法のフローチャートである。
【発明を実施するための形態】
【００１０】
図１Ａ〜図１Ｃを参照すると、本発明の第一実施形態に係るタッチ装置１００は、対向して設置される第一基板１４０及び第二基板１５０を備える。前記第一基板１４０は、弾性材料からなり、前記第二基板１５０は、所定の圧力を積載することができる剛性材料からなる。本実施形態において、前記第一基板１４０は、ポリエステルフィルムであり、前記第二基板１５０は、ガラス基板である。
【００１１】
前記第一基板１４０の前記第二基板１５０に対面する表面には、第一導電膜１１０が設置され、前記第二基板１５０の前記第一基板１４０に対面する表面には、第二導電膜１２０が設置される。換言すると、前記第一導電膜１１０は、前記第二導電膜１２０の片側に配置される。本実施形態において、前記タッチ装置１００は、前記第一導電膜１１０と前記第二導電膜１２０との間に配置されており、且つ前記第一導電膜１１０及び前記第二導電膜１２０の辺縁に位置し、前記第一導電膜１１０が設置されている第一基板１４０及び前記第二導電膜１２０が設置されている第二基板１５０を粘着させる粘着層１３０をさらに備える。
【００１２】
前記タッチ装置１００が押圧されなかった時（即ち、前記第一基板１４０が押圧されなかった時）、前記第一導電膜１１０と前記第二導電膜１２０とは、互いに離間し且つ電気絶縁する。本実施形態において、前記第一導電膜１１０と前記第二導電膜１２０との間の間隔距離は、２〜１０μｍである。本実施形態において、前記第一導電膜１１０と前記第二導電膜１２０との間には、分散されている複数のスペーサー１６０が設置されている。前記複数のススペーサー１６０は、絶縁及び支持作用を発揮し、前記タッチ装置１００が押圧されない時に前記第一導電膜１１０及び前記第二導電膜１２０を分離させる。しかし、前記タッチ装置１００の寸法が小さく、且つ前記タッチ装置１００を押圧しない時に前記第一導電膜１１０及び前記第二導電膜１２０が電気絶縁さえすれば、前記スペーサー１６０を採用しなくてもよい。前記タッチ装置１００が押圧されると（即ち、前記第一基板１４０が押圧されると）、前記第一導電膜１１０の押圧箇所は、前記第二導電膜１２０の押圧箇所に接触する。
【００１３】
前記タッチ装置１００は、複数の第一電極２１０（２１０ａ〜２１０ｅ）と、複数の補助電極２２０（２２０ａ〜２２０ｂ）と、複数の第二電極２３０（２３０ａ〜２３０ｅ）と、複数の補助電極２４０（２４０ａ〜２４０ｂ）と、をさらに備える。前記第一導電膜１１０は、第一辺Ｓ１と、前記第一辺Ｓ１に対向する第二辺Ｓ２と、前記第一辺Ｓ１と前記第二辺Ｓ２とを連接する第一領域Ａ１と、前記第一辺Ｓ１と前記第二辺Ｓ２とを連接する第二領域Ａ２と、を有し、前記第一領域Ａ１は、前記第二領域Ａ２に隣接する。前記複数の第一電極２１０は、前記第一辺Ｓ１の前記第一領域Ａ１の側辺に該当する部分に互いに離間して配置され、且つ前記第一領域Ａ１に電気接続される。本実施形態において、前記第一辺Ｓ１は、図中のＹ方向に平行し、且つ図中のＸ方向に直交し、前記Ｘ方向は、前記Ｙ方向に直交する。
【００１４】
前記補助電極２２０は、前記第一辺Ｓ１の前記第二領域Ａ２の側辺に該当する部分に互いに離間して配置され、且つ前記第二領域Ａ２に電気接続される。本実施形態において、前記補助電極２２０は、第一補助電極２２０ａ及び第三補助電極２２０ｂを備える。前記第一補助電極２２０ａは、前記第一領域Ａ１に近く、且つ前記複数の第一電極２１０に隣り合うとともに、前記複数の第一電極２１０と間隔を保持する。前記第三補助電極２２０ｂは、前記第一補助電極２２０ａに隣り合うとともに、前記第一補助電極２２０ａと間隔を保持し、前記第一補助電極２２０ａは、前記第三補助電極２２０ｂと前記複数の第一電極２１０との間に位置する。
【００１５】
前記複数の第二電極２３０は、前記第二辺Ｓ２の前記第二領域Ａ２の側辺に該当する部分に互いに離間して配置され、且つ前記第二領域Ａ２に電気接続される。前記補助電極２４０は、前記第二辺Ｓ２の前記第一領域Ａ１の側辺に該当する部分に互いに離間して配置され、且つ前記第一領域Ａ１に電気接続される。本実施形態において、前記補助電極２４０は、第二補助電極２４０ａ及び第四補助電極２４０ｂを備える。前記第二補助電極２４０ａは、前記第二領域Ａ２に近く、且つ前記複数の第二電極２３０に隣り合うとともに、前記複数の第二電極２３０と間隔を保持する。前記第四補助電極２４０ｂは、前記第二補助電極２４０ａに隣り合うとともに、前記第二補助電極２４０ａと間隔を保持し、前記第二補助電極２４０ａは、前記第四補助電極２４０ｂと前記複数の第二電極２３０との間に位置する。  
【００１６】
本実施形態において、前記複数の第一電極２１０及び前記複数の補助電極２２０は、等間隔に配置されることができ、且つ前記複数の第二電極２３０及び前記複数の補助電極２４０も等間隔に配置されることができるが、これに限定されるものではない。前記複数の第二電極２３０の中の前記第一領域Ａ１に最も近い第二電極２３０ｅと前記第一補助電極２２０ａは、第一基準直線Ｌ１に位置し、前記複数の第二電極２３０の中の前記第一領域Ａ１に第二番目に近い第二電極２３０ｄと前記第三補助電極２２０ｂは、第三基準直線Ｌ３に位置し、前記複数の第一電極２１０の中の前記第二領域Ａ２に最も近い第一電極２１０ｅと前記第二補助電極２４０ａは、第二基準直線Ｌ２に位置し、前記複数の第一電極２１０の中の前記第二領域Ａ２に第二番目に近い第一電極２１０ｄと第四補助電極２４０ｂは、第四基準直線Ｌ４に位置する。前記第一基準直線Ｌ１、前記第二基準直線Ｌ２、前記第三基準直線Ｌ３及び前記第四基準直線Ｌ４は、互いに平行し、且つ前記第一基準直線Ｌ１は、前記第一辺Ｓ１及び前記第二辺Ｓ２に直交する。前記第一電極２１０、前記第二電極２３０、前記補助電極２２０及び前記補助電極２４０は、押圧箇所（即ち、接触点）のＹ方向の位置を判断することに用いられる。
【００１７】
本実施形態において、前記タッチ装置１００は、前記第二導電膜１２０の第三辺Ｓ３に配置され且つ前記第二導電膜１２０に電気接続された複数の第三電極２５０をさらに備える。前記第三辺Ｓ３の両端は、別々に前記第一辺Ｓ１の一端及び前記第二辺Ｓ２の一端に隣り合う。前記第三辺Ｓ３は、Ｘ方向に平行する。本実施形態において、前記複数の第三電極２５０は、等間隔に配置されるが、これに限定されるものではない。前記第三電極２５０は、押圧箇所（即ち、接触点）のＸ方向の位置を判断することに用いられる。
【００１８】
前記第一導電膜１１０及び前記第二導電膜１２０は、抵抗異方性を有する導電膜である。具体的に説明すると、前記第一導電膜１１０及び前記第二導電膜１２０は、全てカーボンナノチューブ（Ｃａｒｂｏｎ  Ｎａｎｏ−Ｔｕｂｅ，ＣＮＴ）フィルムであり、本実施形態において、透明導電膜である。本実施形態において、前記第一導電膜１１０の主要導電方向は、前記第一辺Ｓ１及び前記第二辺Ｓ２に直交し（即ち、前記第一基準直線Ｌ１に平行し）、前記第二導電膜１２０の主要導電方向は、前記第三辺Ｓ３に直交し（前記第一基準直線Ｌ１に直交し）、且つ前記第一導電膜１１０の主要導電方向（Ｘ方向）は、前記第二導電膜１２０の主要導電方向（Ｙ方向）に直交する。
【００１９】
前記タッチ装置１００において、前記第一導電膜１１０に電気接続された前記第一電極２１０と前記第二電極２３０は、別々に前記第一導電膜１１０の対向する両辺（第一辺Ｓ１と第二辺Ｓ２である）に配置されているため、前記第一電極２１０、前記補助電極２２０、前記第二電極２３０、前記補助電極２４０に接続された導線２６０は、前記タッチ装置１００の周辺領域Ｐ１の対向する両側に分配される。その結果、従来のタッチ装置の周辺領域の片側があまりに広い問題を効果的に解決することができ、前記タッチ装置１００を美観的に表示装置（図示せず）に配置することができ、且つ異なるタイプの表示装置に対して優れた適用性を有する。なお、前記タッチ装置１００の押圧箇所（即ち、接触点）の位置が前記第一基準直線Ｌ１と前記第二基準直線Ｌ２との間に位置する場合、前記補助電極２２０の設計によって、前記接触点の位置をさらに確かに判断することができる。
【００２０】
本発明において、必ずしも前記第三電極２５０を前記第二導電膜１２０の同じ辺（第三辺Ｓ３）に配置するとは限らず、他の実施形態において、前記第一電極２１０及び前記第二電極２３０が前記第一導電膜１１０の対向する両辺に配置されるように、使用者の需要によって、一部分の第三電極２５０を前記第二導電膜１２０の第四辺Ｓ４に配置し、他の一部分の第三電極２５０を前記第二導電膜１２０の第三辺Ｓ３に配置することができ、前記第四辺Ｓ４は、前記第三辺Ｓ３に対向して設置される。又、前記第三辺Ｓ３と前記第四辺Ｓ４に補助電極を設置することができる。前記第三補助電極２２０ｂ及び前記第四補助電極２４０ｂの数量は、１つに限定されるものではなく、複数であることができ、且つ複数の第三補助電極２２０ｂは互いに離間して配置され、複数の第四補助電極２４０ｂも互いに離間して配置される。
【００２１】
図２を参照すると、本発明の第二実施形態に係るタッチ装置１００’は、前記第一実施形態に係るタッチ装置１００と類似するが、異なるのは、前記タッチ装置１００’は、第一補助電極２２０ａ及び第二補助電極２４０ａを有するが、第三補助電極２２０ｂ及び第四補助電極２４０ｂを有しない点である。換言すると、本実施形態において、前記第一辺Ｓ１に位置する補助電極２２０の数量はただ１つであり、前記第二辺Ｓ２に位置する補助電極２４０の数量もただ１つである。
【００２２】
図１Ａ、図１Ｂ及び図３を一緒に参照すると、本発明の第一実施形態に係るタッチ装置の制御方法は、以下のようなステップを備える。ステップＳ１１０において、前記複数の第一電極２１０及び前記第一補助電極２２０ａの中の１つの電極を交互に読取状態にして、且つ前記第二導電膜１２０に第二基準電圧を印加する。本実施形態において、前記第一電極２１０、前記補助電極２２０、前記第三電極２３０及び前記補助電極２４０は、前記導線２６０によって駆動ＩＣのような駆動回路（図示せず）に電気接続される。本実施形態において、駆動回路は、それに接続された電極を二種の異なる状態に呈させ、即ち駆動状態と読取状態である。駆動状態である時、駆動回路はそれに接続された電極に第一基準電圧を印加するが、読取状態である時、駆動回路はそれに接続された電極を浮動状態（Ｆｌｏａｔｉｎｇ  Ｓｔａｔｅ）又は高抵抗状態（Ｈｉｇｈ  Ｉｍｐｅｄａｎｃｅ  Ｓｔａｔｅ）にして、この時、前記駆動回路は、それに接続された電極に電圧を印加せず、前記駆動回路に接続された電極の電圧を読み取り易くする。
【００２３】
本実施形態において、前記複数の第一電極２１０及び前記第一補助電極２２０ａの中の１つの電極を交互に読取状態にするとは、前記第一電極２１０ａ〜２１０ｅ及び前記第一補助電極２２０ａを順番に読取状態にすることである。又、前記第三電極２５０に第二基準電圧を印加することにより、前記第二導電膜１２０に第二基準電圧を印加する。
【００２４】
前記複数の第一電極２１０及び前記第一補助電極２２０ａの中のいずれか１つの電極が読取状態にある時、前記複数の第一電極２１０及び前記第一補助電極２２０ａの中の他の電極に第一基準電圧を印加する。本実施形態において、この時、前記第三補助電極２２０ｂにも第一基準電圧を印加する。例えば、前記第一電極２１０ｃが読取状態にある時、前記第一電極２１０ａ〜２１０ｂ、２１０ｄ〜２１０ｅ、前記第一補助電極２２０ａ及び前記第三補助電極２２０ｂに第一基準電圧を印加する。しかし、他の実施形態において、前記複数の第一電極２１０及び前記第一補助電極２２０ａの中のいずれか１つの電極が読取状態にある時、前記複数の第一電極２１０及び前記第一補助電極２２０ａの中の他の一部分の電極に第一基準電圧を印加することができ、例えば、読取状態にある電極近傍の他の電極に第一基準電圧を印加する。又、前記第一基準電圧は、前記第二基準電圧と異なり、例えば、本実施形態において、前記第一基準電圧は０Ｖであり、前記第二基準電圧は５Ｖであるが、これに限定されるものではない。
【００２５】
前記複数の第一電極２１０の中の前記第二領域Ａ２に最も近い第一電極２１０ｅが読取状態にある時、少なくとも前記第二補助電極２４０ａに電圧を印加しないようにして、例えば、前記第二補助電極２４０ａを読取状態にする。具体的に説明すると、前記第一電極２１０ｅが読み取る電圧値の正確性を増加するために、前記第一電極２１０ｅに対向する前記第二補助電極２４０ａを浮動状態又は高抵抗状態にして、前記第一電極２１０ｅが読み取った電圧値が前記第二補助電極２４０ａの妨害を受けないようにする。この時、電圧値を読み取るために前記第二補助電極２４０ａが読取状態にあるのではなく、前記第二補助電極２４０ａが浮動状態又は高抵抗状態にあるために、前記第二補助電極２４０ａに電圧を印加しない。従って駆動回路は前記第二補助電極２４０ａの電圧値を読み取らないか、又は前記第二補助電極２４０ａの電圧値を読み取ったとしても、この電圧値を採用しない。
【００２６】
同じ論理によって、前記第一補助電極２２０ａが読取状態にある時、少なくとも前記第二電極２３０の中の前記第一領域Ａ１に最も近い第二電極２３０ｅに電圧を印加しないようにして、例えば、前記第二電極２３０ｅを読取状態にする。この時、駆動回路は、前記第一補助電極２２０ａの電圧値を読み取るが、前記第二電極２３０ｅの電圧値を読み取らないか、又は前記第二電極２３０ｅの電圧値を読み取ったとしても、この電圧値を採用しない。
【００２７】
同じ理論によって、前記複数の第一電極２１０の中の前記第二領域Ａ２に第二番目に近い第一電極２１０ｄが読取状態にある時、少なくとも前記第四補助電極２４０ｂに電圧を印加しないようにして、例えば、前記第四補助電極２４０ｂを読取状態にする。この時、駆動回路は、前記第一電極２１０ｄの電圧値を読み取るが、前記第四補助電極２４０ｂの電圧値を読み取らないか、又は前記第四補助電極２４０ｂの電圧値を読み取ったとしても、この電圧値を採用しない。
【００２８】
前記第一電極２１０ｂ〜２１０ｄが読取状態にある時、その両側の電極は全て駆動状態にあるから、前記第一補助電極２２０ａもこのような環境を有するために、本実施形態において、前記第一補助電極２２０ａが読取状態にある時、前記第三補助電極２２０ｂに第一基準電圧を印加する。読取環境の一致性をさらに高めるために、本実施形態において、前記複数の第一電極２１０の中のいずれか１つの電極が読取状態にある時、前記第三補助電極２２０ｂに第一基準電圧を印加することができる。
【００２９】
続いてステップＳ１２０を実行する。前記ステップＳ１２０は、前記ステップＳ１１０と類似し、２つのステップの差異は、異なる電極を制御することであり、しかし、２つのステップで達成する効果は同じである。以下、ステップＳ１２０を概略的に説明し、詳しい内容は、ステップＳ１１０の説明の通りである。ステップＳ１２０において、前記複数の第二電極２３０及び前記第二補助電極２４０ａの中の１つの電極を交互に読取状態にして、且つ前記第二導電膜１２０に第二基準電圧を印加する。例えば、前記第二電極２３０ａ〜２３０ｅ及び前記第二補助電極２４０ａを順番に読取状態にする。前記複数の第二電極２３０及び前記第二補助電極２４０ａの中のいずれか１つの電極が読取状態にある時、前記複数の第二電極２３０及び前記第二補助電極２４０ａの中の他の一部分の電極に第一基準電圧を印加する。前記複数の第二電極２３０の中の前記第一領域Ａ１に最も近い第二電極２３０ｅが読取状態にある時、少なくとも前記第一補助電極２２０ａに電圧を印加しないようにして、例えば、前記第一補助電極２２０ａを読取状態にする。前記第二補助電極２４０ａが読取状態にある時、少なくとも前記第一電極の中の前記第二領域に最も近い第一電極２１０ｅに電圧を印加しないようにして、例えば、前記第一電極２１０ｅを読取状態にする。
【００３０】
同じ理論によって、前記複数の第二電極２３０の中の前記第一領域Ａ１に第二番目に近い第二電極２３０ｄが読取状態にある時、少なくとも前記第三補助電極２２０ｂに電圧を印加しないようにして、例えば、前記第三補助電極２２０ｂを読取状態にする。この時、前記駆動回路は、前記第二電極２３０ｄの電圧値を読み取るが、前記第三補助電極２２０ｂの電圧値を読み取らないか、又は前記第三補助電極２２０ｂの電圧値を読み取ったとしても、この電圧値を採用しない。
【００３１】
本実施形態において、前記第二補助電極２４０ａが読取状態にある時、前記第四補助電極２４０ｂに第一基準電圧を印加して、前記第二補助電極２４０ａの読取環境を他の電極に接近させる。
【００３２】
読取環境の一致性をさらに高めるために、本実施形態において、前記複数の第二電極２３０の中のいずれか１つの電極が読取状態にあると、前記第四補助電極２４０ｂに第一基準電圧を印加することができる。
【００３３】
本実施形態において、前記ステップＳ１１０を実行してから前記ステップＳ１２０を実行するが、他の実施形態において、前記ステップＳ１２０を実行してから前記ステップＳ１１０を実行してもよい。又は前記ステップＳ１１０が含む各々の読取ステップと前記ステップＳ１２０が含む各々の読取ステップは、いろいろな可能な配列順序に基づいて順序に実行することができる。換言すると、前記ステップＳ１１０が含む読取ステップと前記ステップＳ１２０が含む読取ステップは、交替に実行することができる。
【００３４】
続いてステップＳ１３０を実行する。前記ステップＳ１３０において、前記複数の第三電極２５０の中の１つの電極を交互に読取状態にして、且つ前記第一導電膜１１０に第一基準電圧を印加する。前記第一導電膜１１０に第一基準電圧を印加する場合、例えば、駆動回路によって前記第一電極２１０、前記補助電極２２０、前記第二電極２３０及び前記補助電極２４０に第一基準電圧を印加する。前記複数の第三電極２５０の中のいずれか１つの電極が読取状態にある時、前記複数の第三電極２５０の中の他の電極に第二基準電圧を印加する。他の実施形態において、この時、前記複数の第三電極２５０の中の他の一部分の電極に第二基準電圧を印加することができ、例えば、読取状態にある第三電極２５０近傍の電極に第二基準電圧を印加する。
【００３５】
続いてステップＳ１４０を実行する。前記ステップＳ１４０において、前記複数の電極（例えば、第一電極２１０、第一補助電極２２０ａ、第二電極２３０、第二補助電極２４０ａ及び第三電極２５０である）が読み取った電圧値に基づいて、押圧箇所（接触点）の位置を計算する。具体的に説明すると、前記タッチ装置１００を押圧すると、読取状態で別々に読み取った前記複数の第一電極２１０の複数の電圧値及び前記複数の第二電極２３０の複数の電圧値の中にはそれぞれ１つの極値が含まれる。本実施形態において、前記第一基準電圧は前記第二基準電圧より小さいため、前記極値は極大値であり、且つ前記第一基準電圧より大きい。本実施形態の制御方法は、前記極値及び前記極値を測定した電極に隣り合う２つの電極がそれぞれ測定した２つの電圧値に基づいて、前記タッチ装置の押圧箇所（接触点）の前記第一辺Ｓ１に平行する方向（Ｙ方向）の位置を計算する。
【００３６】
前記複数の第三電極２５０が読取状態で測定した複数の電圧値の中には１つの極値が含まれ、本実施形態において、前記第一基準電圧は前記第二基準電圧より小さいため、前記極値は極小値であり、且つ前記第二基準電圧より小さい。本実施形態の制御方法は、前記極小値及び前記極小値を測定した電極に隣り合う２つの電極がそれぞれ測定した２つの電圧値に基づいて、前記タッチ装置の押圧箇所（接触点）の前記第三辺Ｓ３に平行する方向（Ｘ方向）の位置を計算する。
【００３７】
以下、前記計算方法を詳しく説明する。
【００３８】
前記複数の第一電極２１０、前記複数の第二電極２３０、前記第一補助電極２２０ａ及び前記第二補助電極２４０ａが読み取った電圧信号は、極値電圧信号、第一電圧信号及び第二電圧信号を備え、前記極値電圧信号は、これらの電圧信号の中の最大の電圧信号であり、且つ前記三つの電圧信号を読み取った電極は、別々に第一感知電極、第二感知電極及び第三感知電極である。前記第一電圧信号は、前記第一感知電極から獲得し、前記極値電圧信号は、前記第二感知電極から獲得し、前記第二電圧信号は、前記第三感知電極から獲得する。前記第二感知電極は、前記第一感知電極と前記第三感知電極との間に位置し、且つ前記第二感知電極は、別々に前記第一感知電極及び前記第三感知電極に隣り合う。前記第一感知電極、前記第二感知電極及び前記第三感知電極は、Ｙ方向に沿って順序に配列される。
【００３９】
前記３つの感知電極の中の各々の隣り合う両者は、所定の間隔距離を有する。接触点のＹ方向の位置を計算する方法に含まれる複数の計算パラメーターは、前記極値電圧信号と前記第一電圧信号との差、前記極値電圧信号と前記第二電圧信号との差及び前記間隔距離を備える。前記計算方法は、以下の３つの方程式を含む。
【００４０】
【数１】
0005498882.tif 000002
【００４１】
前記３つの方程式において、Δ１は、前記極値電圧信号から前記第一電圧信号を減算して得る差であり、Δ２は、前記極値電圧信号から前記第二電圧信号を減算して得る差であり、Ｐｙは、前記間隔距離であり、ΔＳは、接触点のＹ方向の位置から前記第二感知電極のＹ方向の位置を減算して得る差である。従って前記公式によってΔＳを計算してから、前記ΔＳに前記第二感知電極のＹ方向の位置を加算して、接触点のＹ方向の位置を計算することができる。上述の類似の方法によって、接触点のＸ方向の位置も計算することができ、ここで詳しく説明しない。上述の計算方法及び計算公式は、三点内挿法及び三点内挿公式である。
【００４２】
上述の接触点のＹ方向の位置を測定する方法は、前記接触点が第五基準直線Ｌ５と第六基準直線Ｌ６との間に位置する場合に適用され、前記第五基準直線Ｌ５及び前記第六基準直線Ｌ６は、前記第一基準直線Ｌ１に平行し、前記第五基準直線Ｌ５は、第一電極２１０ｂと第一電極２１０ｃとの間の中間線であり、前記第六基準直線Ｌ６は、第二電極２３０ｂと第二電極２３０ｃとの間の中間線である。しかし、接触点が前記第五基準直線Ｌ５下部又は前記第六基準直線Ｌ６上部に位置する場合、前記第一電極２１０ａの下方又は前記第二電極２３０ａの上方には、第一基準電圧を提供する電極がない。従って、前記第二電圧信号は、以下の三点内挿辺縁修正法によって修正してから前記三点内挿公式に代入し、上述のように前記三点内挿公式に直接に代入しない。
【００４３】
以下、接触点が図１Ｂの第五基準直線Ｌ５下部に位置することについて説明し、接触点が前記第六基準直線Ｌ６上部に位置する場合の処理方式は、接触点が第五基準直線Ｌ５下部に位置する場合の処理方式と同じであるため、ここで詳しく説明しない。
【００４４】
接触点が前記第五基準直線Ｌ５下部に位置する場合、前記第一電極２１０ａは第一感知電極であり、前記第一電極２１０ｂは第二感知電極であり、前記第一電極２１０ｃは第三感知電極である。三点内挿辺縁修正法は、第一基準電圧、第三電圧信号及び第四電圧信号に基づいて確立された関連性を有し、以下、前記第三電圧信号及び前記第四電圧信号を獲得する方式に対して説明する。
【００４５】
前記第一電極２１０ａと前記第一電極２１０ｂとの間の中間線を第七基準直線Ｌ７と定義し、前記第七基準直線Ｌ７は、前記第一基準直線Ｌ１に平行する。
【００４６】
前記第七基準直線Ｌ７が押圧されて、前記第七基準直線Ｌ７上の第一基準電圧を改変する時、前記第三電圧信号は、前記第一感知電極から獲得し、前記第四電圧信号は、前記第二感知電極から獲得する。又、前記第七基準直線Ｌ７の第一基準電圧が改変される位置と前記第三辺Ｓ３との間の距離は、接触点と前記第三辺Ｓ３との間の距離と等しい。
【００４７】
前記三点内挿辺縁修正法は、以下の三点内挿辺縁修正公式で表示することができる。
【００４８】
【数２】
0005498882.tif 000003
【００４９】
前記三点内挿辺縁修正公式において、Ｖ１は、前記第三電圧信号であり、Ｖ２は、前記第四電圧信号であり、Ｖ３は、前記第一電圧信号であり、Ｖ４は、修正電圧信号であり、Ｖｒは、前記第一基準電圧である。
【００５０】
故に、接触点のＹ方向の位置が前記第五基準直線Ｌ５下部に位置する時、前記第一感知電極から獲得する第一電圧信号は、前記三点内挿辺縁修正法によって修正してから修正電圧信号を獲得し、続いて前記第二電圧信号、前記極値電圧信号及び前記修正電圧信号を前記三点内挿辺縁修正公式に代入して、接触点のＹ方向の位置を獲得する。この時、前記三点内挿法が含む３つの方程式の中のΔ２は、前記極値電圧信号から前記修正電圧信号を減算して得る差である。
【００５１】
三点内挿辺縁修正法は、第三電極２５０にも適用され、ここで詳しく説明しない。
【００５２】
接触点が図１Ｂに示す第七基準直線Ｌ７下部又は前記第二電極２３０ａと前記第二電極２３０ｂとの間の中間線上部の領域に位置する場合、以下の二点内挿辺縁修正法によって、接触点のＹ方向の座標を獲得することができる。
【００５３】
例えば、接触点が前記第七基準直線Ｌ７下部に位置する場合、Ｙ方向で原点に最も近い電極は第一電極２１０ａであり、原点に第二番目に近い電極は第一電極２１０ｂである。Ｖ１が極大値電圧である時、接触点位置Ｙｔは、以下の二点内挿辺縁修正公式を満足する。
【００５４】
【数３】
0005498882.tif 000004
【００５５】
前記二点内挿辺縁修正公式において、Ｖｒは、第一基準電圧であり、Ｖ１は、前記第一電極２１０ａが測定した電圧であり、Ｖ２は、前記第一電極２１０ｂが測定した電圧であり、Ｐｙは、前記第一電極２１０ａと前記第一電極２１０ｂとの間の距離であり、Ｙ１は、前記第一電極２１０ａのＹ方向の位置であり、Ｖｒ＞Ｖ２＞Ｖ１である。従って接触点が前記第七基準直線Ｌ７下部に位置する場合、接触点のＹ方向の位置を正確に計算することができる。
【００５６】
二点内挿辺縁修正法は、第三電極２５０にも適用され、ここで詳しく説明しない。
【００５７】
接触点が第一基準直線Ｌ１と第二基準直線Ｌ２との間に位置する時、及び前記第一補助電極２２０ａが読取状態にある時、その上方には、依然として第三補助電極２２０ｂに第一基準電圧を印加し、且つ前記第二補助電極２４０ａが読取状態にある時、その下方には、依然として第四補助電極２４０ｂに第一基準電圧を印加するため、この時、前記三点内挿辺縁修正法又は前記二点内挿辺縁修正法を採用しないこともできる。換言すると、前記第三補助電極２２０ｂ及び前記第四補助電極２４０ｂに第一基準電圧を印加することにより、接触点の位置をさらに正確に判断することができる。
【００５８】
次いで、ステップＳ１１０〜Ｓ１４０を繰り返して実行して、接触点位置の変化を監視する効果を達成する。
【００５９】
前記第一辺Ｓ１に位置する第一電極２１０及び第一補助電極２２０ａが交互に読取状態にある時、本実施形態に係る制御方法は、適切な時機に前記第二辺Ｓ２に位置する適切な電極に電圧を印加しないようにして、前記第一辺Ｓ１に位置する電極が読取状態にある時の電圧環境を各々の電極にとって一致させて、接触点の位置をさらに正確に判断することができる。これに反して、前記第二辺Ｓ２に位置する第二電極２３０及び第二補助電極２４０ａが交互に読取状態にある時、本実施形態に係る制御方法は、適切な時機に前記第一辺Ｓ１に位置する適切な電極に電圧を印加しないようにして、同様に上述の効果を達成する。
【００６０】
図１Ａ及び図１Ｂを参照すると、本発明の第二実施形態に係るタッチ装置の制御方法は、前記第一実施形態に係るタッチ装置の制御方法と類似するが、以下のような差異を有する。前記第一実施形態に係るタッチ装置の制御方法において、前記第一辺Ｓ１に位置する電極が前記第二辺Ｓ２に相対する電極を有する時、及び前記第一辺Ｓ１の電極が読取状態にある時、前記第二辺Ｓ２の電極に電圧を印加しないようにして、即ち前記第二辺Ｓ２の電極を読取状態にして、この逆も同じである。しかし、電極が読取状態にある時の電圧環境を確保するために、本実施形態において、前記第一辺Ｓ１の電極が読取状態にある時、前記第二辺Ｓ２に位置する前記第一辺Ｓ１の電極にちょうど対応する電極及び斜めに対応するに電極に電圧を印加しないようにして、即ち読取状態にする。又、前記第一辺Ｓ１における前記第四基準直線Ｌ４の上方の電極が読取状態にある時、少なくとも前記第二辺Ｓ２におけるＹ座標が前記読取電極のＹ座標の下方に位置する電極に電圧を印加しないようにして、例えば、読取状態にする。これに反して、前記第二辺Ｓ２に位置し且つ前記第三基準直線Ｌ３の下方に位置する電極が読取状態にある時、少なくとも前記第一辺Ｓ１におけるＹ座標が前記読取電極のＹ座標の上方に位置する電極に電圧を印加しないようにして、例えば、読取状態にする。以下、詳しく説明する。
【００６１】
本実施形態において、前記複数の第一電極２１０の中の前記第二領域Ａ２に第三に近い第一電極２１０ｃが読取状態にある時、少なくとも前記第四補助電極２４０ｂに電圧を印加しないようにして、例えば、読取状態にする。前記複数の第一電極２１０の中の前記第二領域Ａ２に第二番目に近い第一電極２１０ｄが読取状態にある時、少なくとも前記第四補助電極２４０ｂ及び前記第二補助電極２４０ａに電圧を印加しないようにして、例えば、読取状態にする。前記複数の第一電極２１０の中の前記第二領域Ａ２に最も近い第一電極２１０ｅが読取状態にある時、少なくとも前記複数の第二電極２３０の中の前記第一領域Ａ１に最も近い第二電極２３０ｅ、前記第四補助電極２４０ｂ及び前記第二補助電極２４０ａに電圧を印加しないようにして、例えば、読取状態にする。前記第一補助電極２２０ａが読取状態にある時、少なくとも前記複数の第二電極２３０の中の前記第一領域Ａ１に最も近い第二電極２３０ｅ、前記複数の第二電極２３０の中の前記第一領域Ａ１に第二番目に近い第二電極２３０ｄ、前記第四補助電極２４０ｂ及び前記第二補助電極２４０ａに電圧を印加しないようにして、例えば、読取状態にする。前記複数の第二電極２３０の中の前記第一領域Ａ１に第三に近い第二電極２３０ｃが読取状態にある時、少なくとも前記第三補助電極２２０ｂに電圧を印加しないようにして、例えば、読取状態にする。前記複数の第二電極２３０の中の前記第一領域Ａ１に第二番目に近い第二電極２３０ｄが読取状態にある時、少なくとも前記第三補助電極２２０ｂ及び前記第一補助電極２２０ａに電圧を印加しないようにして、例えば、読取状態にする。前記複数の第二電極２３０の中の前記第一領域Ａ１に最も近い第二電極２３０ｅが読取状態にある時、少なくとも前記複数の第一電極２１０の中の前記第二領域Ａ２に最も近い第一電極２１０ｅ、前記第三補助電極２２０ｂ及び前記第一補助電極２２０ａに電圧を印加しないようにして、例えば、読取状態にする。前記第二補助電極２４０ａ読取状態にある時、少なくとも前記複数の第一電極２１０の中の前記第二領域Ａ２に最も近い第一電極２１０ｅ、前記複数の第一電極２１０の中の前記第二領域Ａ２に第二番目に近い第一電極２１０ｄ、前記第三補助電極２２０ｂ及び前記第一補助電極２２０ａに電圧を印加しないようにして、例えば、読取状態にする。
【００６２】
図１Ａ及び図１Ｂを参照すると、本発明の第三実施形態に係るタッチ装置の制御方法は、前記第二実施形態に係るタッチ装置の制御方法と類似するが、本実施形態に係るタッチ装置の制御方法は、さらに多い斜めに対応する電極に電圧を印加しないようにする。以下、詳しく説明する。
【００６３】
本実施形態において、前記複数の第一電極２１０の中の前記第二領域Ａ２に第三から第Ｎ７に近い電極の中のいずれか１つの電極が読取状態にある時、少なくとも前記第四補助電極２４０ｂに電圧を印加しないようにして、例えば、読取状態にして、前記Ｎ７は、３より大きい自然数である。前記複数の第一電極２１０の中の前記第二領域Ａ２に第二番目に近い電極が読取状態にある時、少なくとも前記複数の第二電極２３０の中の前記第一領域Ａ１に最も近い第Ｎ８電極、前記第四補助電極２４０ｂ及び前記第二補助電極２４０ａに電圧を印加しないようにして、例えば、読取状態にして、前記Ｎ８は、０より大きい自然数である。前記複数の第一電極２１０の中の前記第二領域Ａ２に最も近い電極が読取状態にある時、少なくとも前記複数の第二電極２３０の中の前記第一領域Ａ１に最も近い第Ｎ９電極、前記第四補助電極２４０ｂ及び前記第二補助電極２４０ａに電圧を印加しないようにして、例えば、読取状態にして、前記Ｎ９は、１より大きい自然数である。前記第一補助電極２２０ａが読取状態にある時、少なくとも前記複数の第二電極２３０の中の前記第一領域Ａ１に最も近い第Ｎ１０電極、前記第四補助電極２４０ｂ及び前記第二補助電極２４０ａに電圧を印加しないようにして、例えば、読取状態にして、前記Ｎ１０は、２より大きい自然数である。前記複数の第二電極２３０の中の前記第一領域Ａ１に第三から第Ｎ１１に近い電極の中のいずれか１つの電極が読取状態にある時、少なくとも前記第三補助電極２２０ｂに電圧を印加しないようにして、例えば、読取状態にして、前記Ｎ１１は、３より大きい自然数である。前記複数の第二電極２３０の中の前記第一領域Ａ１に第二番目に近い電極が読取状態にある時、少なくとも前記複数の第一電極２１０の中の前記第二領域Ａ２に最も近い第Ｎ１２電極、前記第三補助電極２２０ｂ及び前記第一補助電極２２０ａに電圧を印加しないようにして、例えば、読取状態にして、前記Ｎ１２は、０より大きい自然数である。前記複数の第二電極２３０の中の前記第一領域Ａ１に最も近い電極が読取状態にある時、少なくとも前記複数の第一電極２１０の中の前記第二領域Ａ２に最も近い第Ｎ１３電極、前記第三補助電極２２０ｂ及び前記第一補助電極２２０ａに電圧を印加しないようにして、例えば、読取状態にして、前記Ｎ１３は、１より大きい自然数である。前記第二補助電極２４０ａが読取状態にある時、少なくとも前記複数の第一電極２１０の中の前記第二領域Ａ２に最も近い第Ｎ１４電極、前記第三補助電極２２０ｂ及び前記第一補助電極２２０ａに電圧を印加しないようにして、例えば、読取状態にして、前記Ｎ１４は、２より大きい自然数である。
【００６４】
１つの実施形態において、前記複数の第一電極２１０及び前記第一補助電極２２０ａの中のいずれか１つの電極が読取状態にある時、前記第二辺Ｓ２に位置する全ての電極に電圧を印加しないようにすることができる。これに反して、前記複数の第二電極２３０及び前記第二補助電極２４０ａの中のいずれか１つの電極が読取状態にある時、前記第一辺Ｓ１に位置する全ての電極に電圧を印加しないようにすることができる。
【００６５】
図２を参照すると、本発明の第四実施形態に係るタッチ装置の制御方法は、前記第一実施形態に係るタッチ装置の制御方法と類似するが、両者は、以下のような差異を有する。本実施形態の制御方法は、図２のタッチ装置１００’に適用する。前記タッチ装置１００’は、図１Ｂに示す第三補助電極２２０ｂ及び第四補助電極２４０ｂを有しないため、本実施形態の制御方法は、前記第三補助電極２２０ｂ及び前記第四補助電極２４０ｂに対して制御する必要がなく、残りの制御方法は、前記第三実施形態に係るタッチ装置の制御方法と等しい。
【００６６】
本実施形態において、接触点が第一電極２１０ｄと第一電極２１０ｅとの間の中間線と前記第一基準直線Ｌ１との間に位置し、且つ前記第一補助電極２２０ａが読取状態にある時、前記第一補助電極２２０ａの上方に第一基準電圧を印加する他の電極がないため、前記三点内挿辺縁修正法によって、接触点のＹ方向の位置を計算することができる。同じ理論によって、接触点が第二電極２３０ｄと第二電極２３０ｅとの間の中間線と前記第二基準直線Ｌ２との間に位置し、且つ前記第二補助電極２４０ａが読取状態にある時、前記三点内挿辺縁修正法によって、接触点のＹ方向の位置を計算することができる。
【００６７】
接触点が第八基準直線Ｌ８（前記第一電極２１０ｅと前記第一補助電極２２０ａとの間の中間線であり、前記第一基準直線Ｌ１に平行する）と前記第一基準直線Ｌ１との間に位置する場合、前記二点内挿辺縁修正法、読み取った前記第一電極２１０ｅの電圧値及び前記第一補助電極２２０ａの電圧値によって、接触点のＹ方向の位置を計算するか、又は前記三点内挿辺縁修正法、読み取った前記第二電極２３０ｄ、２３０ｅの電圧値及び前記第二補助電極２４０ａの電圧値によって、接触点のＹ方向の位置を計算する。接触点が前記第八基準直線Ｌ８と前記第二基準直線Ｌ２との間に位置する場合、前記二点内挿辺縁修正法及び読み取った前記第二辺Ｓ２に位置する電極の電圧値によって、接触点のＹ方向の位置を計算するか、又は前記三点内挿辺縁修正法及び読み取った前記第一辺Ｓ１に位置する電極の電圧値によって、接触点のＹ方向の位置を計算する。
【００６８】
図２を参照すると、本発明の第五実施形態に係るタッチ装置の制御方法は、前記第四実施形態に係るタッチ装置の制御方法と類似するが、両者は、以下のような差異を有する。電極が読取状態にある時の電圧環境を確保するために、本実施形態において、前記第一辺Ｓ１の電極が読取状態にある時、前記第二辺Ｓ２に位置する前記第一辺Ｓ１の電極にちょうど対応する電極及び斜めに対応する電極に電圧を印加しないようにする。以下、詳しく説明する。
【００６９】
前記複数の第一電極２１０の中の前記第二領域Ａ２に第二番目に近い第一電極２１０ｄが読取状態にある時、少なくとも前記第二補助電極２４０ａに電圧を印加しないようにする。前記複数の第一電極２１０の中の前記第二領域Ａ２に最も近い第一電極２１０ｅが読取状態にある時、少なくとも前記複数の第二電極２３０の中の前記第一領域Ａ１に最も近い第二電極２３０ｅ及び前記第二補助電極２４０ａに電圧を印加しないようにする。前記第一補助電極２２０ａが読取状態にある時、少なくとも前記複数の第二電極２３０の中の前記第一領域Ａ１に最も近い第二電極２３０ｅ、前記複数の第二電極２３０の中の前記第一領域Ａ１に第二番目に近い第二電極２３０ｄ及び前記第二補助電極２４０ａに電圧を印加しないようにする。前記複数の第二電極２３０の中の前記第一領域Ａ１に第二番目に近い第二電極２３０ｄが読取状態にある時、少なくとも前記第一補助電極２２０ａに電圧を印加しないようにする。前記複数の第二電極２３０の中の前記第一領域Ａ１に最も近い第二電極２３０ｅが読取状態にある時、少なくとも前記複数の第一電極２１０の中の前記第二領域Ａ２に最も近い第一電極２１０ｅ及び前記第一補助電極２２０ａに電圧を印加しないようにする。前記第二補助電極２４０ａ読取状態にある時、少なくとも前記複数の第一電極２１０の中の前記第二領域Ａ２に最も近い第一電極２１０ｅ、前記複数の第一電極２１０の中の前記第二領域Ａ２に第二番目に近い第一電極２１０ｄ及び前記第一補助電極２２０ａに電圧を印加しないようにする。
【００７０】
図２を参照すると、本発明の第六実施形態に係るタッチ装置の制御方法は、前記第五実施形態に係るタッチ装置の制御方法と類似するが、本実施形態に係るタッチ装置の制御方法は、さらに多い斜めに対応する電極に電圧を印加しないようにする。以下、詳しく説明する。
【００７１】
前記複数の第一電極２１０の中の前記第二領域Ａ２に第二から第Ｎ１に近い電極の中のいずれか１つの電極が読取状態にある時、少なくとも前記第二補助電極２４０ａに電圧を印加しないようにして、前記Ｎ１は、２より大きい自然数である。前記複数の第一電極２１０の中の前記第二領域Ａ２に最も近い電極が読取状態にある時、少なくとも前記複数の第二電極２３０の中の前記第一領域Ａ１に最も近い第Ｎ２電極及び前記第二補助電極２４０ａに電圧を印加しないようにして、前記Ｎ２は、１より大きい自然数である。前記第一補助電極２２０ａが読取状態にある時、少なくとも前記複数の第二電極２３０の中の前記第一領域Ａ１に最も近い第Ｎ３電極及び前記第二補助電極２４０ａに電圧を印加しないようにして、前記Ｎ３は、２より大きい自然数である。前記複数の第二電極２３０の中の前記第一領域Ａ１に第二から第Ｎ４に近い電極の中のいずれか１つの電極が読取状態にある時、少なくとも前記第一補助電極２２０ａに電圧を印加しないようにして、前記Ｎ４は、２より大きい自然数である。前記複数の第二電極２３０の中の前記第一領域Ａ１に最も近い電極が読取状態にある時、少なくとも前記複数の第一電極２１０の中の前記第二領域Ａ２に最も近い第Ｎ５電極及び前記第一補助電極２２０ａに電圧を印加しないようにして、前記Ｎ５は、１より大きい自然数である。前記第二補助電極２４０ａが読取状態にある時、少なくとも前記複数の第一電極２１０の中の前記第二領域Ａ２に最も近い第Ｎ６電極及び前記第一補助電極２２０ａに電圧を印加しないようにして、前記Ｎ６は、２より大きい自然数である。
【００７２】
１つの実施形態において、前記複数の第一電極２１０及び前記第一補助電極２２０ａの中のいずれか１つの電極が読取状態にある時、前記第二辺Ｓ２に位置する全ての電極に電圧を印加しないようにすることができる。これに反して、前記複数の第二電極２３０及び前記第二補助電極２４０ａの中のいずれか１つの電極が読取状態にある時、前記第一辺Ｓ１に位置する全ての電極に電圧を印加しないようにすることができる。
【００７３】
本発明の実施形態において、第一導電膜に電気接続された第一電極及び第二電極は、別々に前記第一導電膜の対向する両辺に配置されるため、従来のタッチ装置の周辺領域の片側があまりに広い問題を効果的に解決することができ、従って本発明の実施形態に係るタッチ装置を美観的に表示装置に配置することができ、且つ優れた適用性を有する。又、第一辺に位置する第一電極及び第一補助電極が交互に読取状態にある時、本発明の実施形態に係るタッチ装置の制御方法は、適切な時機に前記第二辺に位置する適切な電極に電圧を印加しないようにして、前記第一辺に位置する電極が読取状態にある時の電圧環境を各々の電極にとって一致させて、本発明の実施形態に係わるタッチ装置の制御方法によって、接触点の位置をさらに正確に判断することができる。これに反して、第二辺に位置する第二電極及び第二補助電極が交互に読取状態にある時、本発明の実施形態に係わる制御方法は、適切な時機に前記第一辺に位置する適切な電極に電圧を印加しないようにして、上述の効果を達成する。  
【００７４】
以上本発明を実施例に基づいて具体的に説明したが、本発明は、上述の実施例に限定されるものではなく、その要旨を逸脱しない範囲において、種々変更可能であることは勿論であって、本発明の保護範囲は、添付の特許請求の範囲から決まる。
【符号の説明】
【００７５】
１００，１００’  タッチ装置
１１０  第一導電膜
１２０  第二導電膜
１３０  粘着層
１４０  第一基板
１５０  第二基板
１６０  スペーサー
２１０，２１０ａ〜２１０ｅ  第一電極
２２０，２４０  補助電極
２２０ａ  第一補助電極
２２０ｂ  第三補助電極
２３０，２３０ａ〜２３０ｅ  第二電極
２４０ａ  第二補助電極
２４０ｂ  第四補助電極
２５０  第三電極
２６０  導線
Ａ１  第一領域
Ａ２  第二領域
Ｌ１  第一基準直線
Ｌ２  第二基準直線
Ｌ３  第三基準直線
Ｌ４  第四基準直線
Ｌ５  第五基準直線
Ｌ６  第六基準直線
Ｌ７  第七基準直線
Ｌ８  第八基準直線
Ｐ１  周辺領域
Ｓ１  第一辺
Ｓ２  第二辺
Ｓ３  第三辺
Ｓ４  第四辺
【図１Ａ】
0005498882.tif 000005
【図１Ｂ】
0005498882.tif 000006
【図１Ｃ】
0005498882.tif 000007
【図２】
0005498882.tif 000008
【図３】
0005498882.tif 000009